(57)【要約】  【課題】投影用途に適したきわめて小型の投影装置を提供する。  【解決手段】プロジェクタ１０は、投影光学系（開口２１）を含む投射部２と操作部材１０３を含む制御部１とに分離され、両者は回動自在なヒンジ部３で支持され、ヒンジ部３による回転軸と垂直な平面に、投射部２による投射光軸が含まれるように構成される。プロジェクタ１０は、平面上に載置される場合、制御部１の上面１ａもしくは下面１ｂを下に載置される。投射部２の長手方向の一端にヒンジ部３が配設され、他端に開口２１が配設される。制御部１の面１ａから延伸したレンズカバー１１を設け、プロジェクタ１０が収納姿勢にされた状態で投射部２の開口２１を覆う。開閉角度検出スイッチはヒンジ部３の回動角を検出し、プロジェクタ１０が収納姿勢でなくなるとオン信号を送出し、プロジェクタ１０が収納姿勢になるとオフ信号を送出する。  【選択図】図１
2007011133.tif 000002
【特許請求の範囲】
【請求項１】
少なくとも光源および投影光学系を筐体に含む投射部と、
前記投射部と別筐体で構成された制御部と、
前記投射部および前記制御部の筐体間で対向するそれぞれの面に垂直な線を回転軸にして前記投射部および前記制御部を回動自在に支持する回動支持部材とを備えることを特徴とする投影装置。
【請求項２】
請求項１に記載の投影装置において、
前記回動支持部材は前記投射部の長手方向の一端に配設され、
前記投影光学系は前記投射部の長手方向の中央より他端寄りに配設されることを特徴とする投影装置。
【請求項３】
請求項１または２に記載の投影装置において、
前記回動支持部材の回転軸と垂直な平面に前記投射部の投射光軸が含まれることを特徴とする投影装置。
【請求項４】
請求項１〜３のいずれか一項に記載の投影装置において、
前記投射部は前記光源が発する熱を放熱する放熱部材をさらに含み、
前記制御部はバッテリーをさらに含むことを特徴とする投影装置。
【請求項５】
請求項１〜４のいずれか一項に記載の投影装置において、
前記制御部は、前記回動支持部材の回動角度に応じて前記光源のオン／オフを制御することを特徴とする投影装置。
【請求項６】
請求項１〜５のいずれか一項に記載の投影装置において、
前記制御部は、前記光源をオフする指示に応じて、前記投射部への通電を停止もしくは制限する一方で前記制御部内の通電を継続することを特徴とする投影装置。
【請求項７】
請求項６に記載の投影装置において、
前記制御部は、タイムアップ信号に応じて、前記投射部への通電を停止もしくは制限する一方で前記制御部内の通電を継続することを特徴とする投影装置。
【請求項８】
請求項４に記載の投影装置において、
前記回動支持部材と前記投射部の放熱部材とが熱伝導するように一体化されることを特徴とする投影装置。
【請求項９】
請求項４または８に記載の投影装置において、
前記放熱部材から前記投射部の前記制御部と対向する面の内側へ熱伝導させることを特徴とする投影装置。
【請求項１０】
請求項４、８および９のいずれか一項に記載の投影装置において、
前記投射部または前記制御部の筐体表面に、表面の温度に応じた表示を行うことを特徴とする投影装置。
【請求項１１】
請求項４、８〜１０のいずれか一項に記載の投影装置において、
前記投射部および前記制御部の少なくとも一方の筐体表面に、断熱材料で形成されたシールが縞状に貼付されることを特徴とする投影装置。
【発明の詳細な説明】
【技術分野】
【０００１】
本発明は、光学像を投影する投影装置に関する。
【背景技術】
【０００２】
携帯電話機などの小型機器に投影機能を備えた電子機器が知られている（特許文献１参照）。特許文献１に記載のプロジェクタ付き携帯電話機は、通話者が通話しながら通話者自身の手のひらに情報を投影したり、通話しながら壁面に情報を投影したりする。
【０００３】
【特許文献１】特開２０００−２３６３７５号公報
【発明の開示】
【発明が解決しようとする課題】
【０００４】
特許文献１のプロジェクタは通信用途に適した電話機の筐体に搭載されているため、必ずしも投影用途に適していない。投影専用の装置を構成する場合、電話機能が不要であること、および通話姿勢をとる必要がないことから、投影用途に適した小型の形態が望まれる。
【課題を解決するための手段】
【０００５】
本発明による投影装置は、少なくとも光源および投影光学系を筐体に含む投射部と、投射部と別筐体で構成された制御部と、投射部および制御部の筐体間で対向するそれぞれの面に垂直な線を回転軸にして投射部および制御部を回動自在に支持する回動支持部材とを備えることを特徴とする。
請求項１に記載の投影装置において、回動支持部材は投射部の長手方向の一端に配設され、投影光学系は投射部の長手方向の中央より他端寄りに配設されるように構成してもよい。
請求項１または２に記載の投影装置において、回動支持部材の回転軸と垂直な平面に投射部の投射光軸が含まれるようにしてもよい。
請求項１〜３のいずれか一項に記載の投影装置において、投射部は光源が発する熱を放熱する放熱部材をさらに含み、制御部はバッテリーをさらに含むように構成してもよい。
請求項１〜４のいずれか一項に記載の投影装置において、制御部は、回動支持部材の回動角度に応じて光源のオン／オフを制御することもできる。
請求項１〜５のいずれか一項に記載の投影装置において、制御部は、光源をオフする指示に応じて、投射部への通電を停止もしくは制限する一方で制御部内の通電を継続することもできる。
請求項６に記載の投影装置において、制御部は、タイムアップ信号に応じて、投射部への通電を停止もしくは制限する一方で制御部内の通電を継続することもできる。
請求項４に記載の投影装置において、回動支持部材と投射部の放熱部材とが熱伝導するように一体化されるようにしてもよい。
請求項４または８に記載の投影装置において、放熱部材から投射部の制御部と対向する面の内側へ熱伝導させるようにしてもよい。
請求項４、８および９のいずれか一項に記載の投影装置において、投射部または制御部の筐体表面に、表面の温度に応じた表示を行うようにしてもよい。
請求項４、８〜１０のいずれか一項に記載の投影装置において、投射部および制御部の少なくとも一方の筐体表面に、断熱材料で形成されたシールが縞状に貼付されてもよい。
【発明の効果】
【０００６】
本発明によれば、投影用途に適した小型の投影装置を提供できる。
【発明を実施するための最良の形態】
【０００７】
以下、図面を参照して本発明を実施するための最良の形態について説明する。図１は、本発明の一実施の形態による手持ち使用可能な小型プロジェクタの三面図である。図１(a)は左側面図、図１(b)は平面図、図１(c)は正面図である。プロジェクタ１０は、制御部１と投射部２とを構成するそれぞれの筐体がヒンジ部３によって回動自在に支持されている。ヒンジ部３は、投射部２の長手方向において端部寄りに配設され、ヒンジ部３の回転軸は制御部１および投射部２の対向するそれぞれの筐体面と垂直である。ヒンジ部３には不図示のクリック機構が設けられており、制御部１および投射部２間の相対角θが、たとえば９０度の位置、１８０度の位置、および２７０度の位置でそれぞれクリック機構がはたらく。なお、ヒンジ部３は上述したクリック位置でなくても、任意の角度で支持可能に構成されている。制御部１には、不図示のストラップなどを装着可能なストラップ取り付け部材１５が備えられている。
【０００８】
図２は、ヒンジ部３が回動したプロジェクタ１０の３態様を例示する図である。図２(a)は、ヒンジ部３を回動軸として相対角θ＝９０度まで投射部２を回動させた図、図２(b)は、ヒンジ部３を回動軸として相対角θ＝１８０度まで投射部２を回動させた図、図２(c)は、ヒンジ部３を回動軸として相対角θ＝２７０度まで投射部２を回動させた図である。図２(a)〜図２(c)のそれぞれにおいて、光束Ｂは投射部２から発せられる投影ビームを表す。
【０００９】
プロジェクタ１０が平面上に載置される場合、制御部１の上面１ａもしくは下面１ｂを下にして載置される。プロジェクタ１０が図２(a)および図２(b)の態様の場合、プロジェクタ１０は面１ａを下に載置される。プロジェクタ１０が図２(c)の態様の場合、プロジェクタ１０は面１ｂを下に載置される。制御部１のサイズは投射部２のサイズより大きいので、回動されている投射部２が載置平面に接しなくてもプロジェクタ１０の姿勢が安定する。なお、制御部１および投射部２間の相対角θが０度にされた図１の状態（収納姿勢）のプロジェクタ１０は、制御部１の上面１ａおよび下面１ｂのいずれの面を下にしても平面上に載置可能である。
【００１０】
図１において、制御部１には面１ａから延伸されたレンズカバー１１が設けられている。レンズカバー１１は、プロジェクタ１０が収納姿勢（相対角θ＝０度）にされた状態で投射部２の開口２１を覆い、投射部内部の投影レンズを保護する。レンズカバー１１は透明部材で構成されており、プロジェクタ１０が収納姿勢にされた状態でもレンズカバー１１を通して投影が可能である。なお、開口２１の位置は、投射部２の長手方向の中央からヒンジ部３と反対側に配設されるのが好ましい。
【００１１】
図３は、プロジェクタ１０の回路構成を説明するブロック図である。図３において、制御部１にはＣＰＵ１０１と、メモリ１０２と、操作部材１０３と、液晶表示器１０４と、スピーカ１０５と、外部インターフェイス（Ｉ／Ｆ）１０６と、電源回路１０７とが備えられ、バッテリー１０８、メモリカード２００および無線通信ユニット２１０がそれぞれ装着されている。
【００１２】
投射部２には投影レンズ１２１と、液晶パネル１２２と、ＬＥＤ光源１２３と、投射制御回路１２４と、レンズ駆動回路１２５と、姿勢センサ１３０とが備えられている。
【００１３】
コントローラであるＣＰＵ１０１は、制御プログラムに基づいて、プロジェクタ１０を構成する各部から入力される信号を用いて所定の演算を行うなどして、プロジェクタ１０の各部に対する制御信号を送出することにより、プロジェクタ１０の投影動作を制御する。なお、制御プログラムはＣＰＵ１０１内の不図示の不揮発性メモリに格納されている。ＣＰＵ１０１はさらに、プロジェクタ１０が投影する画像のデータに対する台形歪み補正（キーストン補正）を画像処理によって行う。
【００１４】
メモリ１０２はＣＰＵ１０１の作業用メモリとして使用される。操作部材１０３は、メインスイッチ、光源オン／オフスイッチなどを含み、各操作スイッチに対応する操作信号をＣＰＵ１０１へ送出する。
【００１５】
メモリカード２００は不揮発性メモリによって構成され、制御部１のカードスロット１４（図１）に着脱可能に構成されている。メモリカード２００は、ＣＰＵ１０１からの指令により映像・音声データなどのデータの書き込み、保存および読み出しが可能である。
【００１６】
無線通信ユニット２１０は制御部１に対して着脱可能に構成され、ＣＰＵ１０１の指令により外部機器との間でデータを送受信する。送受信するデータは、映像・音声データや、プロジェクタ１０に対する制御データである。
【００１７】
外部インターフェイス１０６は、ＣＰＵ１０１の指令により不図示のケーブルまたはクレードルを介して外部機器との間でデータを送受信する。送受信するデータは、映像・音声データや、プロジェクタ１０に対する制御データである。
【００１８】
スピーカー１０５は、ＣＰＵ１０１から出力された音声信号による音声を再生する。液晶表示器１０４は、ＣＰＵ１０１の指令によりテキストなどの情報を表示する。テキスト情報は、プロジェクタ１０の動作状態を示す情報や操作メニューなどである。
【００１９】
バッテリー１０８は充電可能な二次電池によって構成され、プロジェクタ１０内の各部へ電力を供給する。電源回路１０７はＤＣ／ＤＣ変換回路などで構成され、バッテリー１０８の電圧をプロジェクタ１０内の各部で必要な電圧に変換する。開閉角度検出スイッチ１１０はヒンジ部３の回動角を検出し、制御部１および投射部２間の相対角θが０度（収納姿勢）にされたことを検出するとオフ信号をＣＰＵ１０１へ送出し、上記角度以外ではオン信号を送出する。
【００２０】
投射制御回路１２４は、ＣＰＵ１０１の指令により液晶パネル１２２、ＬＥＤ光源１２３およびレンズ駆動回路１２５をそれぞれ制御する。投射制御回路１２４は、ＣＰＵ１０１から出力されるＬＥＤ駆動信号に応じてＬＥＤ光源１２３に電流を供給する。ＬＥＤ光源１２３は、供給電流に応じた明るさで液晶パネル１２２を照明する。
【００２１】
投射制御回路１２４は、ＣＰＵ１０１から送信される画像データに応じて液晶パネル駆動信号を生成し、生成した駆動信号で液晶パネル１２２を駆動する。具体的には、液晶層に対して画像信号に応じた電圧を画素ごとに印加する。電圧が印加された液晶層は液晶分子の配列が変わり、当該液晶層の光の透過率が変化する。このように、画像信号に応じてＬＥＤ光源１２３からの光を変調することにより、液晶パネル１２２が光像を生成する。
【００２２】
レンズ駆動回路１２５は、投射制御回路１２４から出力される制御信号に基づいて、投影レンズ１２１を光軸に対して直交する方向へ進退移動させる。投影レンズ１２１は、液晶パネル１２２から射出される光像をスクリーンなどへ向けて投影する。
【００２３】
姿勢センサ１３０は、投射部２の姿勢を検出し、検出信号を投射制御回路１２４を介してＣＰＵ１０１へ送出する。これによりＣＰＵ１０１は、プロジェクタ１０が収納姿勢の状態にあるか、図２(a)〜図２(c)のいずれの状態にされているかを判定する。
【００２４】
（投射像のオフセット）
ＣＰＵ１０１は、投影レンズ１２１を光軸に直交する向きにシフトさせることによって光束Ｂの射出方向を変え、投射像をオフセットさせる。ＣＰＵ１０１は、図２(a)の状態を判定した場合、光束Ｂの一部が制御部１の筐体でけられないように光束Ｂを面１ｂから離れる向きに射出させる。つまり、光束Ｂの上端が面１ｂの延長面より下に向くように投影レンズ１２１をシフトさせる。
【００２５】
ＣＰＵ１０１はまた、図２(c)の状態を判定した場合、光束Ｂの一部が載置平面でけられないように光束Ｂを面１ｂの延長面から離れる向きに射出させる。つまり、光束Ｂの下端が面１ｂの延長面より上に向くように投影レンズ１２１をシフトさせる。
【００２６】
ＣＰＵ１０１はさらに、図２(b)の状態を判定した場合には、面１ｂの延長面に対して直交する向きに光束Ｂを射出させるように投影レンズ１２１をシフトさせる。なお、収納姿勢の状態（図１）を判定した場合には、面１ａの延長面に対して直交する向きに光束Ｂを射出させるように投影レンズ１２１をシフトさせる。
【００２７】
投射像のオフセットは、投影レンズ１２１をシフトさせて行う他にも、液晶パネル１２２、ＬＥＤ光源１２３を光軸に対して垂直方向にシフトさせて行う構成としてもよい。すなわち、投影レンズ１２１と液晶パネル１２２の相対的位置関係を光軸に垂直な方向に変化させることで、投射像のオフセットを実現できる。
【００２８】
（投射像のキーストン補正）
投影レンズ１２１、液晶パネル１２２、ＬＥＤ光源１２３の一部を光軸に対して垂直方向にシフトさせる際には、そのシフト量に応じて投影するデータに対するキーストン補正を行う。投射像に上述したオフセットを与えるだけでは投射像が台形状に変化する。そこで、ＣＰＵ１０１は投射像を台形状から長方形状に補正するために画像処理による電気的なキーストン補正を施す。ＣＰＵ１０１内には、あらかじめ図２(a)〜図２(c)の各状態で投射像を長方形状に補正するための初期補正値が記憶されている。ＣＰＵ１０１は、この初期補正値をもとに、投影する像のデータに対してメモリ１０２上でキーストン補正処理を施す。なお、図２(a)〜図２(c)の各状態だけでなく、角度θに対応したキーストン補正処理を施してもよい。
【００２９】
（内部配置）
プロジェクタ１０の筐体内の要部配置について、図４の内部配置図を参照して説明する。図４(a)は左側面図、図４(b)は平面図、図４(c)は正面図である。制御部１には主回路基板５１と、電源基板５２と、スピーカー１０５とが配設され、バッテリー１０８が実装される。主回路基板５１に実装されている不図示のコネクタに無線通信ユニット２１０が装着され、主回路基板５１に実装されている不図示のカードコネクタにメモリカード２００が装着される。主回路基板５１にはさらに、外部インターフェイス（Ｉ／Ｆ）１０６を接続するためのコネクタ１０６Ａが設けられている。
【００３０】
投射部２には、投影レンズ１２１を含む投影光学系１２と、液晶パネル１２２を実装する基板１２２Ａと、集光光学系５４と、ＬＥＤ光源１２３を実装する基板１２３Ａと、基板１２３Ａ上のＬＥＤ光源１２３で発生した熱を放熱する放熱部材５３とが配設されている。投影光学系１２は、液晶パネル１２２を透過し、図４(c)において投射部２内を右方向へ進む光束を上方へ折り曲げた後、光束Ｂとして上方へ射出する。
【００３１】
投影光学系１２は、図４(b)に示されるフォーカス調節操作部材１３が左右方向に摺動操作されると、フォーカス調節操作部材１３の操作量に応じて光軸方向（図４(b),(c)において左右方向）に進退移動するように構成される。この進退移動により、投影像のフォーカス調節が行われる。
【００３２】
放熱部材５３は、熱伝導性が高い材料によって形成される。また、放熱部材５３は投射部２内においてヒンジ部３と一体化され、放熱部材５３からヒンジ部３へも熱を伝導するように構成される。放熱部材５３は、その表面に形成されている放熱フィン（不図示）から放熱する他に、投射部２の筐体へも放熱するように構成されている。具体的には、収納姿勢の状態で制御部１と対向する投射部２の面２ｃの内側において、放熱部材５３と筐体との間に熱伝導性が高い充填材６０を充填したり、高熱伝導性シートを挟んだりする。
【００３３】
一方、制御部１においてもヒンジ部３と制御部１の筐体とが熱を伝導するように構成される。たとえば、ヒンジ部３と制御部１の筐体と間に熱伝導性が高い充填材（不図示）を充填したり、高熱伝導性シート（不図示）を挟んだりする。なお、ヒンジ部３に近い制御部１および投射部２の筐体表面には断熱性が高い材料で形成された断熱シール６５が縞状（たとえば２mm間隔）に貼り付けされ、使用者がプロジェクタ１０を把持する場合に筐体表面を直接触らないように構成されている。
【００３４】
投射部２の面２ｃには、温度シールが貼り付けられている。温度シールは、たとえば、貼付面の温度が４０℃に達すると「温度注意」の文字表示が浮き出て、貼付面の温度が４０℃未満になると表示が消える。なお、温度シールは貼付面の温度に対応する数字が浮き出るものや、貼付面の温度ごとに異なる色が浮き出るものでもよい。
【００３５】
（メイン処理）
上述したプロジェクタ１０のＣＰＵ１０１によって行われるメイン処理の流れについて、図５のフローチャートを参照して説明する。図５による処理は、操作部材１０３を構成するメインスイッチがオン操作されると起動する。図５のステップＳ１において、ＣＰＵ１０１は電源回路１０７に指令を送り、ＬＥＤ光源１２３および液晶パネル１２２を除く各部へ通電を開始させてステップＳ２へ進む。
【００３６】
ステップＳ２において、ＣＰＵ１０１は光源オン（投影開始）操作されたか否かを判定する。ＣＰＵ１０１は、操作部材１０３を構成する光源オン／オフスイッチからのオン操作信号および開閉角度検出スイッチ１１０からのオン信号のうち、いずれかの信号が新たに入力されるとステップＳ２を肯定判定してステップＳ３へ進み、新たな信号が入力されない場合にはステップＳ２を否定判定し、ステップＳ１３へ進む。
【００３７】
ステップＳ３において、ＣＰＵ１０１は投射制御回路１２４へ指令を送り、ＬＥＤ光源１２３および液晶パネル１２２へ通電を開始させてステップＳ４へ進む。これにより、プロジェクタ１０から光束Ｂが射出され、スクリーン上に光像が投影される。
【００３８】
プロジェクタ１０は、以下のコンテンツから選択されたコンテンツを投影および再生するように構成されている。ＣＰＵ１０１は、操作部材１０３からの設定操作信号に応じて投影コンテンツを選択する。ＣＰＵ１０１は、選択したコンテンツのデータを投射制御回路１２４へ送信し、当該データによる光像を液晶パネル１２２上に生成させる。
【００３９】
１．メモリカード２００から読出したデータによる画像および音声
２．無線通信ユニット２１０で受信されたデータによる画像および音声
３．外部インターフェイス１０６から入力されたデータによる画像および音声
４．プロジェクタ１０の機能設定のための操作メニュー画像および音声
【００４０】
ステップＳ４において、ＣＰＵ１０１は投影コンテンツが「メニュー」か否かを判定する。ＣＰＵ１０１は、投影コンテンツとして上記４が選択されている場合にステップＳ４を肯定判定してステップＳ６へ進み、上記４が選択されていない場合にはステップＳ４を否定判定してステップＳ５へ進む。
【００４１】
ステップＳ５において、ＣＰＵ１０１は投射制御回路１２４へ光源輝度をハイ（Ｈ）レベルにする指令を送り、ステップＳ７へ進む。これにより、ＬＥＤ光源１２３に供給される電流値がハイレベルに調節され、画像の投影に適した高輝度で液晶パネル１２２が照明される。
【００４２】
ステップＳ６において、ＣＰＵ１０１は投射制御回路１２４へ光源輝度をロー（Ｌ）レベルにする指令を送り、ステップＳ７へ進む。これにより、ＬＥＤ光源１２３に供給される電流値が画像投影時より少ないローレベルに調節され、テキストなどの投影に適した低輝度で液晶パネル１２２が照明される。
【００４３】
ステップＳ７において、ＣＰＵ１０１はプロジェクタ１０の姿勢チェックを行う。ＣＰＵ１０１は、姿勢センサ１３０からの姿勢検出信号に基づいてプロジェクタ１０が図１、図２(a)〜図２(c)のいずれの状態にされているかを判定してステップＳ８へ進む。
【００４４】
ステップＳ８において、ＣＰＵ１０１は投射像のオフセット処理を行ってステップＳ９へ進む。ＣＰＵ１０１は、投射制御回路１２４へ投影レンズ１２１をシフトさせる指示を送り、光束Ｂの一部がけられないようにする。投影レンズ１２１のシフト量を示すデータは、あらかじめＣＰＵ１０１内に記憶されている。ＣＰＵ１０１は、ステップＳ７でチェックしたプロジェクタ１０の状態に応じたシフト量のデータを読み出し、このデータとともにシフト指令を投射制御回路１２４へ送る。
【００４５】
ステップＳ９において、ＣＰＵ１０１は投射像のキーストン処理を行ってステップＳ１０へ進む。ＣＰＵ１０１は、ステップＳ７でチェックしたプロジェクタ１０の状態に応じた初期補正値を読み出し、この補正値を用いて投影像のデータを補正した上で投射制御回路１２４へ送信する。
【００４６】
ステップＳ１０において、ＣＰＵ１０１は、投影コンテンツが変更されたか否かを判定する。ＣＰＵ１０１は、操作部材１０３からコンテンツを変更する操作信号が入力されるとステップＳ１０を肯定判定してステップＳ４へ戻り、コンテンツを変更する操作信号が入力されない場合にはステップＳ１０を否定判定し、ステップＳ１１へ進む。
【００４７】
ステップＳ１１において、ＣＰＵ１０１は光源オフ（投影終了）操作されたか否かを判定する。ＣＰＵ１０１は、操作部材１０３を構成する光源オン／オフスイッチからのオフ操作信号および開閉角度検出スイッチ１１０からオフ信号のうち、いずれかの信号が新たに入力されるとステップＳ１１を肯定判定してステップＳ１２へ進み、新たな信号が入力されない場合にはステップＳ１１を否定判定し、ステップＳ７へ戻る。ステップＳ７へ戻る場合は、姿勢チェックしながら投影が継続される。
【００４８】
ステップＳ１２において、ＣＰＵ１０１は投射制御回路１２４へ指令を送り、ＬＥＤ光源１２３および液晶パネル１２２への通電を停止させてステップＳ１３へ進む。これにより、プロジェクタ１０からの光像が投影されなくなる。なお、電源基板５２から主回路基板５１上の各回路への通電を継続するため、投影コンテンツが上記１の場合はメモリ１０２上にメモリカード２００の情報、およびメモリカード２００から読み込んだデータが保存されている。同様に、投影コンテンツが上記２の場合は無線通信ユニット２１０と外部機器との通信が継続され、メモリ１０２上に無線通信ユニット２１０によって受信されたデータが保存されている。また、投影コンテンツが上記３の場合は外部インターフェイス１０６と外部機器との通信が継続され、メモリ１０２上に外部インターフェイス１０６によって受信されたデータが保存されている。
【００４９】
ステップＳ１３において、操作部材１０３を構成するメインスイッチがオフ操作されたかを判定する。ＣＰＵ１０１は、オフ操作信号が入力されるとステップＳ１３を肯定判定し、電源オフ処理を行って主回路基板５１上の各部への通電を終了し、図５による処理を終了する。一方ＣＰＵ１０１は、オフ操作信号が入力されない場合にはステップＳ１３を否定判定してステップＳ２へ戻る。
【００５０】
ステップＳ２へ戻った後に光源オン操作が行われる場合は、メモリ１０２に保存されているデータを用いてただちに投影が再開される。
【００５１】
以上説明した実施形態によれば、次の作用効果が得られる。
（１）プロジェクタ１０は、投影光学系１２（開口２１）を含む投射部２と操作部材１０３を含む制御部１とに分離され、両者は回動自在なヒンジ部３で支持され、ヒンジ部３による回転軸と垂直な平面に、投射部２による投射光軸（光束Ｂの中心線）が含まれるように構成される。これにより、制御部１を同じ状態に載置（もしくは把持）したままで、ヒンジ部３を回動させるだけで容易に投射方向を調節できる。
【００５２】
（２）プロジェクタ１０を平面上に載置する場合、制御部１および投射部２が有する面のうちで最も面積が広い制御部１の上面１ａもしくは下面１ｂを下に載置するように構成したので、プロジェクタ１０が図２(a)〜図２(c)のいずれの状態にされていても載置平面上で安定する。
【００５３】
（３）筐体内に収容される構成部材の中で質量が大きいバッテリー１０８と放熱部材５３について、前者を制御部１内に実装し、後者を投射部２内に配設するとともに、両者が対角位置になるように構成したので、プロジェクタ１０の重心が偏らず、使用者によって把持しやすくなる。
【００５４】
（４）投射部２の長手方向の一端にヒンジ部３を配設し、他端に開口２１を配設するようにしたので、とくに図２(a),図２(c)の状態で、制御部１の載置平面から光束Ｂまでの高さを稼ぐことができる。光束Ｂ（開口２１）の位置を高くすることにより、光束Ｂの一部が制御部１および載置平面でけられるおそれが少なくなる。プロジェクタ１０を超小型（たとえば、シガレットケース以下）に構成する場合、載置平面から光束Ｂまでの高さを稼ぐことは重要である。
【００５５】
（５）制御部１の面１ａから延伸したレンズカバー１１を設け、プロジェクタ１０が収納姿勢（図１）にされた状態で投射部２の開口２１を覆うようにしたので、投影光学系１２を保護できる。また、レンズカバー１１を透明部材で構成したことにより、プロジェクタ１０が収納姿勢にされた状態でもレンズカバー１１を通して投影が可能である。
【００５６】
（６）開閉角度検出スイッチ１１０はヒンジ部３の回動角を検出し、プロジェクタ１０が収納姿勢でなくなるとオン信号を送出する。ＣＰＵ１０１は、開閉角度検出スイッチ１１０からオン信号が入力されると、光源オン／オフスイッチがオン操作されなくても投影を開始する（ステップＳ３）ようにした。したがって、投影を開始させるために、ヒンジ部３の回動角を非収納姿勢へ変更した上でさらに光源オン／オフスイッチをオン操作する場合に比べて、使用者にとって使い勝手がよくなる。
【００５７】
（７）開閉角度検出スイッチ１１０はヒンジ部３の回動角を検出し、プロジェクタ１０が収納姿勢になるとオフ信号を送出する。ＣＰＵ１０１は、投影中に開閉角度検出スイッチ１１０から新たにオフ信号が入力される、または光源オン／オフスイッチが新たにオフ操作されると投影を停止する（ステップＳ１２）ようにした。したがって、投影を終了させるために、光源オン／オフスイッチをオフ操作した上でさらにヒンジ部３の回動角を収納姿勢へ変更する場合に比べて、使用者にとって使い勝手がよくなる。
【００５８】
（８）上記（７）において、メインスイッチがオフ操作されるまではＬＥＤ光源１２３および液晶パネル１２２への通電を停止させるだけでメモリ１０２上にデータを保存するようにしたので、再び光源オン操作が行われた場合にメモリ１０２に保存されているデータを用いて素早く投影を再開できる。
【００５９】
（９）操作部材１０３、主回路基板５１を制御部１へ配設し、投影時に最も発熱が大きい基板１２３Ａを投射部２へ配設したので、投射部２側で発生した熱が制御部１側へ直接伝わらない。これにより、操作者に温度上昇による不快感を与えたり、基板上の電子部品の信頼性が温度上昇によって低下することが防止される。プロジェクタ１０を超小型（たとえば、シガレットケース以下）に構成する場合、熱対策はとくに重要である。
【００６０】
（１０）放熱部材５３からヒンジ部３へ熱を伝導するように構成したので、ヒンジ部３からも放熱でき、放熱効果が高められる。
【００６１】
（１１）放熱部材５３から投射部２の筐体へも充填材６０を介して熱を伝導するように構成したので、投射部２の筐体（とくに面２ｃ）からも放熱でき、放熱効果が高められる。
【００６２】
（１２）面２ｃは、プロジェクタ１０が収納姿勢にされた状態で露出しないので、使用者が誤って温度上昇面に触るおそれがない。また、面２ｃに温度シールを貼付したので、プロジェクタ１０が非収納姿勢にされた状態で使用者に注意を喚起できる。
【００６３】
（１３）ヒンジ部３から制御部１の筐体へも熱を伝導するように構成したので、制御部１の筐体からも放熱でき、放熱効果が高められる。
【００６４】
（１４）制御部１、および投射部２の筐体の表面に断熱シール６５を縞状に貼付したので、筐体面の温度が上昇しても使用者が直接触るおそれがない。
【００６５】
上記ステップＳ１１の光源オフ（投影終了）判定において、タイムアップ判定を加えてもよい。この場合のＣＰＵ１０１は、たとえば投影するデータに変化がないまま（同一の光像を投影）所定時間を経過（たとえば、５分間）した場合にも、タイムアップ信号を光源オフ操作信号としてみなしてステップＳ１１を肯定判定する。これにより、無駄な投影動作を自動的に停止して電力消費および発熱を抑えることができる。
【００６６】
上述したステップＳ１２において、ＬＥＤ光源１２３および液晶パネル１２２への通電を停止させるようにしたが、液晶パネル１２２への通電を継続したままでＬＥＤ光源１２３への供給電流を小さく絞るように構成してもよい。通電を制限して低輝度で投影させることにより、高輝度の投影を継続する場合に比べて、電力消費および発熱を抑えることができる。
【００６７】
以上の説明では、メインスイッチと光源オン／オフスイッチとを独立して配設するようにしたが、１つの操作スイッチで兼用する構成にしてもよい。たとえば、スライドスイッチで構成する場合、オフ位置から１段階スライドさせるとメインスイッチオン（光源オフ）に相当し、さらに２段階までスライドさせると光源オン（メインスイッチオン）に相当する。
【００６８】
プロジェクタ１０は、制御部１の上面１ａもしくは下面１ｂを下に載置平面上に載置される例を説明したが、面１ａおよび面１ｂに磁石を設け、天井や壁などの金属面に固着して使用されるように構成してもよい。
【００６９】
プロジェクタ１０の筐体が、制御部１、投射部２ともに直方体形状を有する例を説明したが、少なくとも制御部１および投射部２のそれぞれの筐体が対向する平面を有していれば、両者は必ずしも直方体形状を有していなくてもよい。ただし、この場合でもヒンジ部３の回転軸は、制御部１および投射部２間の対向するそれぞれの筐体面と垂直である。筐体同士が対向する平面は、プロジェクタ１０が収納姿勢にされた状態で露出しないので、この面を主たる放熱面とすれば、使用者が誤って温度上昇面に触るおそれを低減できる。
【００７０】
以上の説明において、液晶パネル１２２を用いて光像形成素子を構成し、液晶パネル１２２による像をＬＥＤ光源１２３の光で照明して光像を得る場合を説明したが、自発光式の光像形成素子を用いて構成してもよい。この場合の光源は光像形成素子によって構成される。光像形成素子は、画素に対応する点光源を画像信号に応じて画素ごとに発光させることにより、光像を生成する。
【００７１】
以上の説明はあくまで一例であり、発明を解釈する上で、上記の実施形態の構成要素と本発明の構成要素との対応関係に何ら限定されるものではない。
【図面の簡単な説明】
【００７２】
【図１】本発明の一実施の形態によるプロジェクタの三面図であり、図１(a)は左側面図、図１(b)は平面図、図１(c)は正面図である。
【図２】図２(a)は相対角θ＝９０度まで回動させた図、図２(b)は相対角θ＝１８０度まで回動させた図、図２(c)は相対角θ＝２７０度まで回動させた図である。
【図３】プロジェクタの回路構成を説明するブロック図である。
【図４】プロジェクタの内部配置図であり、図４(a)は左側面図、図４(b)は平面図、図４(c)は正面図である。
【図５】ＣＰＵによって行われるメイン処理の流れを説明するフローチャートである。
【符号の説明】
【００７３】
１…制御部
２…投射部
３…ヒンジ部
１０…プロジェクタ
１１…レンズカバー
１２…投影光学系
２１…開口
５３…放熱部材
６０…充填部材
６５…断熱シール
１０１…ＣＰＵ
１２４…投射制御回路
Ｂ…光束
【図１】
2007011133.tif 000003
【図２】
2007011133.tif 000004
【図３】
2007011133.tif 000005
【図４】
2007011133.tif 000006
【図５】
2007011133.tif 000007